(57)【要約】【課題】  シャワーの使用開始前に、除去した残水（冷水）を浴室内に排水する場合に、洗い場床面の中央付近が排水で濡れないように工夫して、入浴時等の不快感を解消できるようにしたシャワー装置を提供する。【解決手段】  浴室１に設置したシャワー装置１９の残水を排水する排水管２１，２２は、浴槽６のエプロン１５近傍の浴室用側壁パネル２０の裏面側に垂れ下がらせて、この浴室用側壁パネル２０に形成したパネル開口２０ａから浴槽６とエプロン１５との間に導入して、洗い場７側に向けて形成したエプロン１５のエプロン排水口１５ａに連結する。これにより、シャワー装置１９の残水（冷水）は、シャワーの開始時に、排水管２１，２２によって、エプロン排水口１５ａからエプロン１５と洗い場７との境目付近に排水されて、エプロン１５と洗い場７との境目付近の洗い場床面に設けられた床面排水口１６に最短距離で流れ込むようになる。【選択図】  図１
2006141852.tif 000002
【特許請求の範囲】
【請求項１】
浴槽を設置した浴室の天井または側壁からシャワーを噴射するシャワー装置において、
浴室外に設置したシャワー装置の残水を排水する排水管は、前記浴槽のエプロン近傍の浴室用側壁パネルの裏面側に垂れ下がらせて、この浴室用側壁パネルに形成したパネル開口から浴槽とエプロンとの間に導入して、前記エプロンの洗い場側に向けて形成したエプロン排水口に連結したことを特徴とするシャワー装置。
【請求項２】
前記排水管は、第１排水管と第２排水管とに分割して、第１排水管は、前記シャワー装置に一端部を連結するとともに、前記浴室用側壁パネルの裏面側に沿わせて前記パネル開口付近まで垂れ下がらせ、第２排水管は、前記エプロン排水口に一端部を連結するとともに、前記パネル開口付近まで延長して、前記パネル開口付近で、第１排水管と第２排水管の他端部同士を連結したことを特徴とする請求項１記載のシャワー装置。
【請求項３】
前記パネル開口に、第１接続金具を貫通させて取付けるとともに、前記エプロン排水口に、外端部に排水口金具を有する第２接続金具を取付けて、第１排水管の他端部を第１接続金具の外端部に連結するとともに、第２接続金具の内端部に一端部を連結した第２排水管の他端部を第１接続金具の内端部に連結したことを特徴とする請求項２記載のシャワー装置。
【請求項４】
第２排水管は、フレキシブル管であり、第１排水管と脱着可能であることを特徴とする請求項２または３記載のシャワー装置。
【請求項５】
前記エプロン排水口は、前記浴室内に設置された物置き用カウンターで覆われる位置に形成していることを特徴とする請求項１〜４のいずれか１項に記載のシャワー装置。
【発明の詳細な説明】
【技術分野】
【０００１】
本発明は、シャワーの使用開始前に、残水（冷水）を除去する機能を備えたシャワー装置に関する。
【背景技術】
【０００２】
従来、浴槽を設置した浴室にシャワー（温水）を噴射するシャワー装置がある。
【０００３】
このようなシャワー装置には、天井からシャワーを噴射する打たせ湯タイプと、側壁からシャワーを噴射するボディシャワータイプとがある。また、シャワーの噴射方法としては、間欠的なストレート状の噴射、連続的なストレート状の噴射、スプレー状の噴射、ミスト（霧）状の噴射等がある。
【０００４】
前記シャワー装置には、前回の残水が冷水として残っているから、シャワーの使用開始時には、給湯器から温水が供給されてくるまでの間は、シャワーから浴室内に冷水のシャワーが噴射されることになり、冷水が身体にかかるので、不快感を感じることがある。
【０００５】
そこで、シャワーの使用開始前に、残水（冷水）を除去する機能を備えたシャワー装置が提案されている（特許文献１参照）。
【０００６】
ところで、除去した残水（冷水）をそのまま浴室外（屋外）に排水できれば問題は生じないが、浴室内に排水しなければならないことが多々ある。そして、浴室内に排水する場合には、浴槽パン近傍の浴室用側壁パネルに排水口を設けたり、洗い場近傍の浴室用側壁パネルに排水口を設けることになる。
【特許文献１】特開平５−２３２６１号公報
【発明の開示】
【発明が解決しようとする課題】
【０００７】
しかしながら、浴槽パン近傍の浴室用側壁パネルに排水口を設けて、浴槽パン内に排水する場合には、浴槽パンは、極力水を浸入させずに乾燥状態を保って水垢やカビの発生を抑え、清掃性を保つためにドライエリアとしていることが多いので、何らかの防水処理や清掃性の向上を確保する必要がある。
【０００８】
そこで、洗い場近傍の浴室用側壁パネルに排水口を設けて、洗い場に排水する場合には、前記した浴槽パン内に排水する場合のような問題は生じないが、排水口から洗い場の床面排水口まで距離があるタイプが多いから、洗い場床面の中央付近が排水で濡れるため、入浴時等に不快感が生じるという問題がある。
【０００９】
本発明は、前記問題を解消するためになされたもので、シャワーの使用開始前に、除去した残水（冷水）を浴室内に排水する場合に、洗い場床面の中央付近が排水で濡れないように工夫して、入浴時等の不快感を解消できるようにしたシャワー装置を提供することを課題とするものである。
【課題を解決するための手段】
【００１０】
前記課題を解決するために、本発明は、浴槽を設置した浴室の天井または側壁からシャワーを噴射するシャワー装置において、
浴室外に設置したシャワー装置の残水を排水する排水管は、前記浴槽のエプロン近傍の浴室用側壁パネルの裏面側に垂れ下がらせて、この浴室用側壁パネルに形成したパネル開口から浴槽とエプロンとの間に導入して、前記エプロンの洗い場側に向けて形成したエプロン排水口に連結したことを特徴とするシャワー装置を提供するものである。
【００１１】
施工性を良好にするために、前記排水管は、第１排水管と第２排水管とに分割して、第１排水管は、前記シャワー装置に一端部を連結するとともに、前記浴室用側壁パネルの裏面側に沿わせて前記パネル開口付近まで垂れ下がらせ、第２排水管は、前記エプロン排水口に一端部を連結するとともに、前記パネル開口付近まで延長して、前記パネル開口付近で、第１排水管と第２排水管の他端部同士を連結した構成とすることができる。
【００１２】
施工性をより良好にするために、前記パネル開口に、第１接続金具を貫通させて取付けるとともに、前記エプロン排水口に、外端部に排水口金具を有する第２接続金具を取付けて、第１排水管の他端部を第１接続金具の外端部に連結するとともに、第２接続金具の内端部に一端部を連結した第２排水管の他端部を第１接続金具の内端部に連結した構成とすることができる。
【００１３】
清掃性を良好にするために、第２排水管は、フレキシブル管であり、第１排水管と脱着可能である構成とすることができる。
【００１４】
美観性を良好にするために、前記エプロン排水口は、前記浴室内に設置された物置き用カウンターで覆われる位置に形成している構成とすることができる。
【発明の効果】
【００１５】
本発明によれば、浴室に設置したシャワー装置の残水（冷水）は、シャワーの開始前に、排水管によって、エプロン排水口から洗い場に排水することができる。このとき、エプロン排水口からの排水は、エプロンの外面をほぼ真下に伝い落ちることから、このエプロンと洗い場との境目付近に排水されるようになる。通常、エプロンと洗い場との境目付近の洗い場床面に床面排水口が設けられているから、エプロン排水口からエプロンの外面をほぼ真下に伝い落ちた排水は、エプロンと洗い場との境目付近から最短距離で床面排水口に流れ込むので、エプロンと洗い場との境目付近の洗い場床面だけが排水で濡れるのみであるので、入浴時等の不快感が解消されるようになる。
【発明を実施するための最良の形態】
【００１６】
以下、本発明を実施するための最良の形態について、図面を参照しながら詳細に説明する。
【００１７】
図１は浴室１の平面断面図、図２は浴室１の正面断面図、図３は浴室１の内部斜視図である。前記浴室１はボックス状にユニット化され、基礎２に立てた４本の支柱３で区画される空間の中に配置して、基礎２の上に置いた複数の支持台４で浴室１の底下部を支持している。
【００１８】
前記浴室１は、平面視で略四角形状に形成して左右にほぼ２分割し、一方側（各図では左側）に浴槽６を設置し、他方側（各図では右側）が洗い場７としている。
【００１９】
前記浴室１の手前側（図１では下側）に浴室扉８を設け、奥側（図１では上側）には、浴室用ミラー９、ハンドシャワー１０、上カウンター１１、下カウンター（物置き用カウンター）１２をそれぞれ設置している。
【００２０】
前記上カウンター１１の前部には、前記下カウンター１２に置いた洗面器（図示せず。）やハンドシャワー１０に給湯・給水するためのカラン（混合水栓）１３を設け、前記浴槽６の奥側の上部には、浴槽６内に給湯・給水するためのカラン（混合水栓）１４を設けている。
【００２１】
前記浴槽６の洗い場７側の側部に取付けたエプロン１５と、洗い場７との境目付近の洗い場７の床面には床面排水口１６を設け、この床面排水口１６は、図２に示したように、浴室１の底下部で下水用排水管１７に連結して、洗い場７の湯水を浴室１外に排出するようになっている。なお、前記エプロン１５は、清掃等のために浴槽６から取外すことができる。
【００２２】
前記浴室１の天井１ａの外上部（浴室外）には、シャワー装置１９を設置して、このシャワー装置１９から浴室１にシャワーを噴射するようになっている。
【００２３】
前記天井１ａにシャワー装置１９を設置すると打たせ湯タイプとなり、浴室用側壁パネル２０にシャワー装置１９を設置するとボディシャワータイプとなる。また、シャワーの噴射方法として、スイッチ操作によって、間欠的なストレート状の噴射、連続的なストレート状の噴射、スプレー状の噴射、ミスト（霧）状の噴射等を適宜に選択することができる。
【００２４】
前記シャワー装置１９には、残水（冷水）を排水する残水排水口１９ａを設け、この残水排水口１９ａに一端部２１ａを差し込み連結した第１排水管２１は、図４および図５に詳細に示すように、前記浴槽６のエプロン１５の近傍の奥側の浴室用側壁パネル２０の裏面側に沿わせて垂れ下がらせている。この第１排水管２１は、天井１ａの上面や浴室用側壁パネル２０の裏面の適所にサドルバンド等２６で固定することが好ましい。
【００２５】
前記浴槽６に近い浴室用側壁パネル２０に形成したパネル開口２０ａには、第１接続金具（ニップル）２３を貫通させて取付けて、この第１接続金具２３の外端部に第１排水管２１の他端部２１ｂを差し込み連結している。
【００２６】
前記浴槽６のエプロン１５の下部には、図６および図７に詳細に示すように、前記下カウンター（物置き用カウンター）１２で覆われる位置に、洗い場７側に向いたエプロン排水口１５ａを形成し、このエプロン排水口１５ａに、外端部に排水口金具２５を有する第２接続金具（ニップル）２４を取付けている。この第２接続金具２４の内端部に、浴槽６とエプロン１５との間に導入したフレキシブルな第２排水管２２の一端部２２ａを差し込み連結するとともに、第２排水管２２の他端部２２ｂを第１接続金具２３の内端部に差し込み連結している。なお、第２排水管２２の他端部２２ｂは、第１接続金具２３の内端部に対して容易に脱着可能になっている。
【００２７】
上記のように浴室１のシャワー装置１９に、シャワーの使用開始前に残水（冷水）を除去する機能を備えた構成であれば、シャワーの使用開示前に、例えば、スイッチ操作等でシャワー装置１９の残水排水口１９ａの閉止弁等を開くと、シャワー装置１９の残水（冷水）は、図３に一点鎖線ａで示すように、自重で第１排水管２１から第２排水管２２を通って、エプロン排水口１５ａの排水口金具２５から洗い場７側に排水されるようになる。
【００２８】
このとき、エプロン排水口１５ａの排水口金具２５からの排水は、エプロン１５の外面をほぼ真下に伝い落ちることから、このエプロン１５と洗い場７との境目付近に排水されるようになる。
【００２９】
洗い場７の床面排水口１６は、エプロン１５と洗い場７との境目付近の洗い場床面に設けられているから、エプロン排水口１５ａの排水口金具２５からエプロン１５の外面をほぼ真下に伝い落ちた排水は、エプロン１５と洗い場７との境目付近から最短距離で床面排水口１６に流れ込むので、エプロン１５と洗い場７との境目付近の洗い場床面だけが排水で濡れるのみであるので、入浴時等の不快感が解消されるようになる。
【００３０】
特に、エプロン１５と洗い場７との境目付近の洗い場床面に排水溝を形成して、この排水溝が床面排水口１６につながっているタイプでは、エプロン１５と洗い場７との境目付近に伝い落ちた排水は、排水溝を通って床面排水口１６に流れ込むから、洗い場床面の全面が排水で濡れなくなるので、より有利である。
【００３１】
また、エプロン排水口１５ａの排水口金具２５は、下カウンター１２で覆われる位置に設けているから、エプロン排水口１５ａの排水口金具２５からエプロン１５の外面を伝い落ちる排水は、下カウンター１２で目隠しされるので、美観性が良好になる。
【００３２】
さらに、第２排水管２２がフレキシブル管であり、この第２排水管２２の他端部２２ｂを第１接続金具２３の内端部に対して容易に脱着可能であるから、長めの第２排水管２２を撓ませてエプロン１５の裏側に収納しておくことができるので、清掃等のために浴槽６からエプロン１５を取外す時に、エプロン１５を手前に取外しやすくなり、第２排水管２２の他端部２２ｂを第１接続金具２３の内端部から抜き取って取外せば、エプロン１５とともに第２排水管２２も取り外せるから、第２排水管２２が清掃の邪魔にならなくなって、清掃性が良好になる。
【００３３】
前記実施形態は、シャワー装置１９の残水排水口１９ａとエプロン１５のエプロン排水口１５ａとの間を２本の排水管２１，２２に分割して連結したものであったが、１本のフレキシブルな排水管の一端部をシャワー装置１９の残水排水口１９ａに連結して、浴槽６のエプロン１５の近傍の浴室用側壁パネル２０の裏面側に沿わせて垂れ下がらせて、この浴室用側壁パネル２０に形成したパネル開口２０ａから浴槽６とエプロン１５との間に導入して、この排水管の他端部をエプロン１５のエプロン排水口１５ａに連結することもできる。
【００３４】
前記実施形態のように、排水管を第１排水管２１と第２排水管２２とに分割すれば、浴室外のシャワー装置１９の残水排水口１９ａに第１排水管２１を連結しておき、浴室１内のエプロン１５のエプロン排水口１５ａに第２排水管２２を連結しておいて、浴室１内に浴槽６を組み込むときに、浴室用側壁パネル２０のパネル開口２０ａ付近で第１排水管２１と第２排水管２２とを連結できるから、施工性が良好になる。
【００３５】
これに加えて、浴室用側壁パネル２０のパネル開口２０ａに、第１接続金具２３を貫通させて取付け、エプロン１５のエプロン排水口１５ａに、排水口金具２５を有する第２接続金具２４を取付けておくと、浴室１外の施工時に、第１排水管２１の一端部２１ａをシャワー装置１９の残水排水口１９ａに差し込み連結し、第１排水管２１の他端部２１ｂを第１接続金具２３の外端部に差し込み連結しておくことができ、浴室１内の施工時に、第２排水管２２の一端部２２ａを第２接続金具２４の内端部に差し込み連結し、第２排水管２２の他端部２２ｂを第１接続金具２３の内端部に差し込み連結できるから、施工性がより良好になる。
【図面の簡単な説明】
【００３６】
【図１】本発明の実施形態に係るシャワー装置を備えた浴室の平面断面図である。
【図２】図１の浴室の正面断面図である。
【図３】図１の浴室の内部斜視図である。
【図４】図１のＡ−Ａ線側面断面図である。
【図５】図４のＢ部分の拡大図である。
【図６】図２のＣ部分の拡大図である。
【図７】図１のＤ部分の拡大図である。
【符号の説明】
【００３７】
１      浴室
１ａ    天井
６      浴槽
７      洗い場
１２    下カウンター（物置き用カウンター）
１５    エプロン
１５ａ  エプロン排出口
１６    床面排水口
１９    シャワー装置
２０    浴室用側壁パネル
２０ａ  パネル開口
２１    第１排水管
２１ａ  一端部
２１ｂ  他端部
２２    第２排水管
２２ａ  一端部
２２ｂ  他端部
２３    第１接続金具
２４    第２接続金具
２５    排水口金具
【図１】
2006141852.tif 000003
【図２】
2006141852.tif 000004
【図３】
2006141852.tif 000005
【図４】
2006141852.tif 000006
【図５】
2006141852.tif 000007
【図６】
2006141852.tif 000008
【図７】
2006141852.tif 000009